(57)【特許請求の範囲】
【請求項１】
電源回路部と、充電回路部と、点灯回路部と、制御部とを備え、
前記電源回路部は、常用電源から供給される交流電圧・交流電流を直流電圧・直流電流に変換するように構成され、
前記充電回路部は、前記電源回路部から出力される直流電流で非常用電源を充電するように構成され、
前記点灯回路部は、前記非常用電源から供給される直流電力で光源を点灯するように構成され、
前記制御部は、前記常用電源の停電を検出していない場合は前記充電回路部を動作させるとともに前記点灯回路部を停止させ、前記常用電源の停電を検出している場合は前記充電回路部を停止させるとともに前記点灯回路部を動作させるように構成され、
前記充電回路部および前記点灯回路部は、前記非常用電源および前記光源と、１つのコネクタを介して電気的に接続され、
前記非常用電源および前記光源と前記コネクタを電気的に接続する複数の電線を備え、前記複数の電線がシースで被覆された１本のケーブルとして構成されることを特徴とする非常用照明装置。
【請求項２】
前記点灯回路部は、前記光源の点灯を開始する際、前記光源に供給する直流電流を徐々に増加させるように構成されることを特徴とする請求項１記載の非常用照明装置。
【請求項３】
光源と、非常用電源と、請求項１または２の非常用照明装置と、前記光源、前記非常用電源ならびに前記非常用照明装置を保持する器具本体とを備えることを特徴とする照明器具。
【発明の詳細な説明】
【技術分野】
【０００１】
本発明は、非常用照明装置および照明器具に関し、特に、常用電源の停電時に非常用電源から供給される電力で非常用光源を点灯する非常用照明装置、および当該非常用照明装置を搭載した照明器具に関する。
【背景技術】
【０００２】
従来例として、特許文献１記載の非常用照明器具を例示する。この従来例は、有底筒状の容器である本体と、蓄電池ボックスと、ユニットケースとを備える。蓄電池ボックスは、平面形状がほぼＵ字状に形成され、所要本数の蓄電池が直列接続されて内蔵され、ヒューズを介してプラス側端とマイナス側端とがコネクタに接続されている。ユニットケースは、本体における蓄電池ボックスの収納スペースを除く空きスペースに配置され、中央部にランプソケットが埋設されている。このランプソケットには、ハロゲンランプからなる光源が挿抜可能に接続される。
【０００３】
ユニットケースは、蓄電池ボックス内の蓄電池を充電する充電回路、蓄電池の電力で光源を点灯させる点灯回路などを内蔵している。また、ユニットケースには、蓄電池ボックスのコネクタに対応する位置に、当該コネクタと挿抜可能に接続されるコネクタが設けられている。つまり、充電回路や点灯回路は、上記コネクタを介して蓄電池ボックスの蓄電池と電気的に接続される。
【先行技術文献】
【特許文献】
【０００４】
【特許文献１】特開２００８−１９２３３３号公報
【発明の概要】
【発明が解決しようとする課題】
【０００５】
ところで、上記従来例の施工時やメンテナンス時において、常用電源の給電が停止されている状態で蓄電池ボックスが抜き差しされた場合、ランプソケットに接続されている光源に突入電流が流れる可能性がある。このような突入電流は、光源であるハロゲンランプの劣化を促進してしまう虞がある。
【０００６】
本発明は、上記課題に鑑みてなされており、光源に突入電流を流れ難くすることを目的とする。
【課題を解決するための手段】
【０００７】
本発明の非常用照明装置は、電源回路部と、充電回路部と、点灯回路部と、制御部とを備え、前記電源回路部は、常用電源から供給される交流電圧・交流電流を直流電圧・直流電流に変換するように構成され、前記充電回路部は、前記電源回路部から出力される直流電流で非常用電源を充電するように構成され、前記点灯回路部は、前記非常用電源から供給される直流電力で光源を点灯するように構成され、前記制御部は、前記常用電源の停電を検出していない場合は前記充電回路部を動作させるとともに前記点灯回路部を停止させ、前記常用電源の停電を検出している場合は前記充電回路部を停止させるとともに前記点灯回路部を動作させるように構成され、前記充電回路部および前記点灯回路部は、前記非常用電源および前記光源と、１つのコネクタを介して電気的に接続され、前記非常用電源および前記光源と前記コネクタを電気的に接続する複数の電線を備え、前記複数の電線がシースで被覆された１本のケーブルとして構成されることを特徴とする。
【０００８】
本発明の照明器具は、光源と、非常用電源と、前記何れかの非常用照明装置と、前記光源、前記非常用電源ならびに前記非常用照明装置を保持する器具本体とを備えることを特徴とする。
【発明の効果】
【０００９】
本発明の非常用照明装置および照明器具は、光源に突入電流を流れ難くすることができるという効果がある。
【図面の簡単な説明】
【００１０】
【図１】本発明に係る照明器具の実施形態を示す斜視図である。
【図２】同上を示し、図２Ａは正面図、図２Ｂは上面図、図２Ｃは左側面図である。
【図３】同上の分解斜視図である。
【図４】同上の断面図である。
【図５】同上における非常用光源ユニットの分解斜視図である。
【図６】同上における非常用光源ユニットの分解斜視図である。
【図７】同上における非常用光源ユニットの斜視図である。
【図８】同上における非常用光源ユニットの平面図である。
【図９】同上における非常用光源ユニットの側面図である。
【図１０】同上における非常用光源ユニットの断面図である。
【図１１】同上における非常用光源ユニットの断面図である。
【図１２】同上における非常用光源ユニットの支持部材を含む要部の平面図である。
【図１３】同上における非常用光源ユニットの支持部材を含む要部の斜視図である。
【図１４】本発明に係る非常用照明装置の実施形態（制御装置）を示す回路図である。
【図１５】同上における第２ケースを外した状態の平面図である。
【図１６】同上における第１ケースの側面図である。
【図１７】同上における第２ケースの平面図である。
【図１８】同上を示す平面図である。
【図１９】本発明に係る照明器具の実施形態を示し、常用光源ユニットを取り外した状態の一部省略した平面図である。
【発明を実施するための形態】
【００１１】
以下、本発明に係る非常用照明装置の実施形態、ならびに本発明に係る照明器具の実施形態について、図面を参照して詳細に説明する。
【００１２】
まず、図１〜図４を参照して、本実施形態の照明器具について説明する。なお、以下の説明では、特に断りのない限り、図４に示す向きにおいて上下左右の方向を規定し、さらに図４中の紙面に垂直な方向を前後方向（手前側が前側）と規定する。
【００１３】
本実施形態の照明器具は、図１〜図４に示すように常用光源ユニット２と、非常用光源ユニット３と、制御装置４（非常用照明装置）と、非常用電源５と、器具本体１とで構成される。器具本体１は、吊りボルト２００に固定され、天井材１００の下面（天井面）に直付けされる。常用光源ユニット２は、器具本体１に対して着脱可能に取り付けられる。
【００１４】
器具本体１は、板金に曲げ加工を施すことで長尺且つ上面（天井材１００との対向面）が開口する扁平な箱状に形成される。また、器具本体１は、天井材１００と反対側（下側）に、常用光源ユニット２および非常用光源ユニット３を収容するための矩形の凹部１１が長手方向（前後方向）の全長に亘って設けられている。また、器具本体１の左右方向（幅方向）における凹部１１の両側には、凹部１１の開口端縁から延出し且つ外側に向かって上方へ傾斜する傾斜部１２がそれぞれ設けられている（図３および図４参照）。
【００１５】
また、凹部１１の底板１１１には、電線を通すための孔１１１Ａが前後方向（長手方向）におけるほぼ中央に設けられている。さらに、この底板１１１には、前後方向における両端寄りの位置に吊りボルト２００を通すための孔１１１Ｂがそれぞれ設けられている（図３参照）。なお、底板１１１の下面には端子台が取り付けられることが好ましい。
【００１６】
常用光源ユニット２は、図４に示すように、複数（例えば、２つ）のＬＥＤモジュール２２と、ＬＥＤモジュール２２が取り付けられる取付部材２１とを備える。また、常用光源ユニット２は、ＬＥＤモジュール２２を覆うようにして取付部材２１に取り付けられるカバー２３と、電源装置２４とを備える。
【００１７】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って１列に並ぶように実装されている。また、一方のＬＥＤモジュール２２の前端部には、電源装置２４との間を電気的に接続するためのコネクタが実装されている。このコネクタには電線が電気的に接続されており、この電線の端部を電源装置２４に電気的に接続することでＬＥＤモジュール２２と電源装置２４とが電気的に接続される。
【００１８】
また、各ＬＥＤモジュール２２において隣接するＬＥＤモジュール２２と対向する端部には、電源供給用のコネクタがそれぞれ実装されている。そして、両ＬＥＤモジュール２２のコネクタ同士を接続することで、一方のＬＥＤモジュール２２から他方のＬＥＤモジュール２２に点灯電力が中継される。
【００１９】
取付部材２１は、板金に曲げ加工を施すことでＵ字状に形成される。取付部材２１は、長尺且つ矩形板状に形成された底板２１１と、底板２１１の左右方向（幅方向）における両端から上下方向（底板２１１と直交する方向）に延出する一対の側板２１２とを有する。各側板２１２の先端（上端）には、図４に示すように、互いに離れる向き（外向き）に湾曲する引掛部２１２Ａがそれぞれ全長に亘って設けられる。なお、上述したＬＥＤモジュール２２は、例えば、取付部材２１の底板２１１の一部を切り起こすことで形成された爪により、取付部材２１に固定される。
【００２０】
また、取付部材２１は、長手方向における両端寄りの位置において幅方向の一端側に延びる一対の引掛金具と、幅方向の他端側に配置される一対の引掛ばねとを有している。
【００２１】
電源装置２４は、電源基板と、電源基板を収納する収納ケース２４２とを有する。電源基板は、前後方向に長い矩形板状に形成されたプリント配線板からなる。そして、このプリント配線板には、少なくともＬＥＤ２２２の点灯電力を生成するために必要な回路部品（例えばトランスやダイオード、コンデンサなど）２４１が実装されている。
【００２２】
収納ケース２４２は、一面（取付部材２１の底板２１１との対向面）が開口し且つ前後方向に長い矩形箱状に形成されている。また、収納ケース２４２は、開口側が取付部材２１の底板２１１と対向するようにして、例えばねじなどを用いて取付部材２１の側板２１２に取り付けられる。
【００２３】
カバー２３は、拡散性を有する材料（例えば乳白色のアクリル樹脂）により上面（取付部材２１側の面）が開口する長尺の箱形に形成されている。また、カバー２３は、左右方向（幅方向）において両端側から中央側に行くほど下側への突出量が大きくなるような凸レンズ形状の曲面部２３１を有している（図４参照）。
【００２４】
カバー２３の左右方向における両端部には、図４に示すように、常用光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上側（取付部材２１側）に突出する突壁部２３３がそれぞれ全長に亘って設けられており、各突壁部２３３の先端には内向きに突出する突起部２３３Ａがそれぞれ設けられている。また、各突壁部２３３の根元近くには、それぞれ内向きに突出する支持片２３３Ｂが設けられている。
【００２５】
非常用光源ユニット３は、図５〜図１１に示すように、非常用ＬＥＤモジュール３０、レンズ３１、カバー３２、支持部材３３、ベース３６などを備える。非常用光源ユニット３は、さらに、スイッチブロック３４、表示部３５、ばね部材３７、ケーブルホルダ３８などを備えることが好ましい。なお、以下の非常用光源ユニット３の説明においては、特に断りのない限り、図５において、上下、前後、左右の各方向を規定する。
【００２６】
非常用ＬＥＤモジュール３０は、実装基板３００、光源部３０１、熱伝導シート３０２、リード線３０３などを備えることが好ましい。実装基板３００は、幅細の矩形平板状に形成されたプリント配線板である。光源部３０１は、実装基板３００の上面における中央部に実装される複数個のＬＥＤチップと、これら複数個のＬＥＤチップを封止する封止材とで構成されることが好ましい。封止材は、透光性を有し且つ蛍光材料が混合された合成樹脂であることが好ましい。すなわち、ＬＥＤチップから放射される光（例えば、青色光）の一部が蛍光材料で波長変換され、波長変換された光（例えば、黄色光）と波長変換されなかった光（青色光）が混ざることにより、光源部３０１から放射される光が全体として白色光となる。熱伝導シート３０２は、電気絶縁性を有し且つ熱伝導度が相対的に高い材料で矩形平板状に形成され、片面（上面）に実装基板３００が貼り付けられる。
【００２７】
レンズ３１は、透光性を有し、且つガラス繊維が混入されることで耐熱性（難燃性）が向上された合成樹脂材料（例えば、ポリカーボネート樹脂など）で形成されることが好ましい。レンズ３１は、非球面形状の入射面３１０および出射面３１１を有し（図１０参照）、いわゆるバットウイング状の配光特性を実現する広角配光レンズであることが好ましい。また、レンズ３１は、下側および左右両側の周縁から外向きに突出する一対のフランジ３１２を有することが好ましい。
【００２８】
非常用電源５は、例えば、乾電池型の複数の蓄電池５０と、これら複数の蓄電池５０を収納する合成樹脂材料製の電池ケース５１とで構成されることが好ましい（図１０および図１１参照）。ただし、電池ケース５１として熱収縮チューブが用いられても構わない。なお、非常用電源５は、各蓄電池５０の正極および負極に一端がそれぞれ電気的に接続され、他端がプラグコネクタと電気的に接続された接続線を有することが好ましい。
【００２９】
カバー３２は、カバー体３２０と、第１カバーエンド３２１と、第２カバーエンド３２２とを有する。カバー体３２０は、難燃性の材料（例えば、亜鉛鋼板などの金属板）により、曲面部３２３および一対の突片３２４が一体に構成されることが好ましい。曲面部３２３は、常用光源ユニット２のカバー２３の曲面部２３１とほぼ同一の曲面形状を有することが好ましい。一対の突片３２４は、矩形の平板状であって、曲面部３２３の下面側における前後両端の近傍より下向きに突出するように形成されることが好ましい。また、各突片３２４の右端寄りの位置に、矩形の貫通孔からなる取付孔３２４０が設けられることが好ましい。
【００３０】
また、曲面部３２３には、レンズ３１が挿通される挿通孔３２３０が開口している。この挿通孔３２３０は、図８に示すように、上下方向から見て八角形状に形成されることが好ましい。さらに、曲面部３２３の表面（上面）における挿通孔３２３０の左右両側には、挿通孔３２３０に向かって下向きに傾斜する傾斜面３２３１が形成されることが好ましい。ただし、挿通孔３２３０は、曲面部３２３の左右方向における中心から左向き（常用光源ユニット２に近付く向き）にずらして設けられることが好ましい。
【００３１】
第１カバーエンド３２１および第２カバーエンド３２２は、カバー体３２０と同一の材料により、半円板状に形成されることが好ましい。また、第１カバーエンド３２１は、周縁から突出する接合片３２１０が曲面部３２３の右側の下面に溶接されることでカバー体３２０に接合されることが好ましい。同様に、第２カバーエンド３２２は、周縁から突出する接合片３２２０が曲面部３２３の左側の下面に溶接されることでカバー体３２０に接合されることが好ましい（図１０参照）。また、第２カバーエンド３２２の下端には、左方向に突出するＬ字形の突台部３２２１が設けられることが好ましい（図６参照）。さらに、突台部３２２１の下端における前端寄りの位置には、矩形の突出部３２２２が一体に形成されることが好ましい。この突出部３２２２は、上下方向から見て、突台部３２２１よりも外側（左側）に突出するように形成されることが好ましい（図８参照）。なお、突出部３２２２の前端には、円形の挿通孔３２２３が貫通している。また、突台部３２２１の下端における前後方向の中央の位置には、矩形の押さえ片３２２４が形成されことが好ましい（図６参照）。この押さえ片３２２４は、厚み方向（左右方向）に沿って撓み可能に形成されることが好ましい。
【００３２】
ベース３６は、アルミ板のような熱伝導率の高い金属製の板材により、平板部３６０と、一対の立壁部３６１、３６２とを有する角樋状に形成されることが好ましい。平板部３６０は、概ね矩形の平板状に形成されている。平板部３６０の左右両端には、互いに大きさの異なる２つの切欠３６００、３６０１が形成されている（図５参照）。左端の切欠３６００は寸法が小さく、右端の切欠３６０１は、切欠３６００よりも寸法が大きいことが好ましい。また、平板部３６０は、左前方および右後方の角部分に、それぞれねじ孔３６０２が設けられることが好ましい。さらに、平板部３６０には、図５および図１０に示すように、複数（図示例では３つ）の突出部３６０３が設けられることが好ましい。これらの突出部３６０３は、図１０に示すように、支持片３６０４と押さえ片３６０５を有することが好ましい。支持片３６０４は、一端（左端）で平板部３６０と繋がり、左から右に向かって下向きに突出するように形成されることが好ましい。押さえ片３６０５は、支持片３６０４の先端（下端）から、平板部３６０と平行且つ右向きに突出するように形成されることが好ましい。ただし、押さえ片３６０５の先端（右端）は、上向きに曲げ起こされることが好ましい。なお、これらの突出部３６０３は、平板部３６０から切り起こして形成されることが好ましい。
【００３３】
一対の立壁部３６１、３６２は、上端部分が僅かに曲げ起こされ、当該上端部分（以下、ガイド部３６１０、３６２０と呼ぶ。）で平板部３６０と連結されている。また、各立壁部３６１、３６２の下端には、前後方向に沿って外向きに突出する固定部３６３がそれぞれ設けられることが好ましい。固定部３６３は、右端寄りの部位が他の部位よりも幅広に形成されることが好ましい。そして、当該幅広の部位に、それぞれ円形の挿通孔３６３０が２つずつ形成されることが好ましい（図５参照）。なお、当該幅広の部位は、例えば、立壁部３６１、３６２の一部が切り起こされて形成されることが好ましい。
【００３４】
さらに、各立壁部３６１、３６２の右側の下端には、それぞれ取付部３６４が一体に設けられることが好ましい。各取付部３６４は、立壁部３６１、３６２の右側端縁に連結されたＬ字型の連結片３６４０と、連結片３６４０の下端から前後方向に沿って内向きに突出する取付片３６４１とを有することが好ましい。また、各取付片３６４１の中央に、それぞれねじ孔３６４２が設けられることが好ましい。なお、後方の取付部３６４の連結片３６４０には、円形の貫通孔３６４３が形成されることが好ましい。
【００３５】
また、前方の立壁部３６１には、カバー３２の突出部３２２２がねじ止めされるねじ止め部３６５が設けられることが好ましい。ねじ止め部３６５は、立壁部３６１の左側の下端から左向きに突出する突片３６１２の上端に設けられることが好ましい。すなわち、ねじ止め部３６５は、突片３６１２の上端から前向きに突出する矩形平板状に形成され、且つねじ孔３６５０が設けられることが好ましい。
【００３６】
ばね部材３７は、矩形の固定片３７０と、固定片３７０の前後両端から上向きに立ち上がる一対の起立片３７１と、各起立片３７１の上端からそれぞれ上向きに突出する一対の引掛部３７２と、押さえ片３７３とを有する。なお、ばね部材３７は、ベース３６を構成する金属材料よりも弾性係数（ヤング率）の高い金属材料、例えば、ステンレス鋼板などで構成されることが好ましい。
【００３７】
固定片３７０は、前後両端に丸孔３７００がそれぞれ設けられている。なお、これら一対の丸孔３７００は、ベース３６の取付部３６４の一対のねじ孔３６４２の間隔に等しい間隔で設けられる。各起立片３７１は、左右方向の中央に、上下方向を長手方向とするスリット３７１０を形成されることが好ましい。各引掛部３７２は、矩形の板材が左右方向から見てＬ字形に折り曲げられた形状に形成されることが好ましい。押さえ片３７３は、固定片３７０の左端における前後方向の中央部から上向きに立ち上がり、且つ左向きに倒れ込むように折り曲げられた形状に形成されることが好ましい。
【００３８】
ばね部材３７は、図９〜図１１に示すように、一対の取付部３６４に固定片３７０が下から当てられ、各丸孔３７００に挿通される２本のねじが各取付部３６４のねじ孔３６４２にねじ込まれることで取付部３６４に取り付けられる。なお、ばね部材３７の各起立片３７１は、何れも取付部３６４の連結片３６４０の外側に配置される（図９参照）。また、後方の起立片３７１のスリット３７１０を通して、連結片３６４０の貫通孔３６４３にケーブルホルダ３８が取り付けられる（図９参照）。
【００３９】
表示部３５は、市販のパイロットランプで構成されることが好ましい。スイッチブロック３４は、プリント配線板３４０、点検スイッチ３４１、操作部材３４２、コネクタ３４３などで構成されることが好ましい。コネクタ３４３は、プラグコネクタが挿抜可能に接続されるレセプタクルコネクタが好ましい。点検スイッチ３４１は、市販されている常開型の押釦スイッチが好ましい。操作部材３４２は、合成樹脂材料によって半球状に形成されることが好ましい。操作部材３４２は、上下方向に移動可能なように支持部材３３に支持される。プリント配線板３４０は、矩形平板状に形成され、点検スイッチ３４１とコネクタ３４３が上面に実装され、且つコネクタ３４３の２つのコンタクトと点検スイッチ３４１の一対の端子とを各別に電気的に接続するように構成されることが好ましい。
【００４０】
スイッチブロック３４は、コネクタ３４３に接続されるプラグコネクタを介して制御装置４から定電圧が供給されており、操作部材３４２を介して点検スイッチ３４１が押操作されると、コネクタ３４３のコンタクト同士を導通するように構成されている。故に、制御装置４は、プラグコネクタの２つのコンタクト間が短絡することにより、点検スイッチ３４１の操作入力を受け取ることができる。
【００４１】
支持部材３３は、第１支持部３３０と、第２支持部３３１とを有することが好ましい。ただし、第１支持部３３０と第２支持部３３１とは、合成樹脂成形体として一体に形成されることが好ましい（図５、図１２、図１３参照）。
【００４２】
第１支持部３３０は、全体として薄型の平板状に形成され、非常用ＬＥＤモジュール３０を嵌め込んで支持する凹部３３２、環状のリブ３３３、２対（合計４つ）の引掛部３３４、一対のボス３３５などを有することが好ましい。凹部３３２は、図１０および図１３に示すように、第１支持部３３０の下面中央に設けられることが好ましい。また、凹部３３２の底には、矩形の窓孔３３２０が開口されることが好ましい。つまり、この窓孔３３２０内に光源部３０１が配置されることにより、第１支持部３３０の上面側に光源部３０１が露出する（図１２参照）。環状のリブ３３３は、第１支持部３３０の上面に、窓孔３３２０を囲むように設けられることが好ましい（図５参照）。一方の対の引掛部３３４は、第１支持部３３０の上面におけるリブ３３３の左端部分から上向きに突出し、且つ左右方向に撓み可能に形成されることが好ましい。他方の対の引掛部３３４は、第１支持部３３０の上面におけるリブ３３３の右端部分から上向きに突出し、且つ左右方向に撓み可能に形成されることが好ましい。また、各引掛部３３４は、逆Ｕ字状に形成され、且つ上端部分に三角柱状の爪３３４０が一体に形成されることが好ましい（図１０および図１１参照）。
【００４３】
第２支持部３３１は、下面が開放された矩形の箱状に形成されることが好ましい。第２支持部３３１は、スイッチブロック３４と表示部３５を内部に収納して支持するように構成される。第２支持部３３１の天面には、第１周壁３３１０および第２周壁３３１１が一体に設けられることが好ましい。第１周壁３３１０は、円筒形状に形成され、スイッチブロック３４の操作部材３４２が挿入される。操作部材３４２は、円柱形状の押釦部３４２０と、複数の爪部３４２１と、軸部３４２２とを有する合成樹脂成形体で構成される（図１０参照）。操作部材３４２は、第１周壁３３１０の内周面に設けられる段部３３１２に複数の爪部３４２１がそれぞれ引っ掛けられて抜け止めされる（図１０参照）。軸部３４２２は、押釦部３４２０の下面中央から下向きに突出する円柱状に形成されることが好ましい（図１０参照）。また、第２周壁３３１１は、円筒状に形成され、表示部３５の先端部分が挿通される（図８参照）。つまり、操作部材３４２は、押釦部３４２０が押されて下向きに移動すると、軸部３４２２の先端（下端）で点検スイッチ３４１を押操作するように構成される。
【００４４】
スイッチブロック３４は、図１３に示すように、第２支持部３３１の内壁面から突出する複数（図示例では３つ）の爪３３１３にプリント配線板３４０の周縁部分が引っ掛けられて第２支持部３３１に支持される。また、第２支持部３３１の天面における前方に、矩形の挿通孔３３１４が設けられることが好ましい（図１２参照）。すなわち、この挿通孔３３１４を通して、コネクタ（レセプタクルコネクタ）３４３にプラグコネクタが差込接続される。なお、当該プラグコネクタと電気的に接続される電線は、第２支持部３３１の前面に設けられる一対のケーブル保持片３３６に保持されることが好ましい（図１２参照）。
【００４５】
次に、非常用光源ユニット３の組立手順を説明する。まず、作業者は、非常用ＬＥＤモジュール３０を第１支持部３３０の凹部３３２に下から嵌め込む（図１３参照）。作業者は、非常用ＬＥＤモジュール３０の一方のリード線３０３を、第１支持部３３０に設けられた第１引掛部３３００に引っ掛けた後、当該リード線３０３と他方のリード線３０３を、第１支持部３３０に設けられた第２引掛部３３０１に引っ掛ける。さらに、作業者は、これら一対のリード線３０３を、第１支持部３３０の上面側に引き回した後、第１支持部３３０に設けられた第３引掛部３３０２に引っ掛けて支持させる（図１２参照）。
【００４６】
さらに、作業者は、操作部材３４２を第１周壁３３１０内に挿入した後、スイッチブロック３４のプリント配線板３４０を３つの爪３３１３に引っ掛けてスイッチブロック３４を第２支持部３３１に取り付ける（図１０〜図１３参照）。また、作業者は、表示部３５の外周面に突出する爪３５０（図５参照）を、第２周壁３３１１に設けられた孔に引っ掛けることで表示部３５を第２支持部３３１に取り付ける。
【００４７】
続いて、作業者は、第１支持部３３０をベース３６の平板部３６０の上に載せる。このとき、作業者は、第１支持部３３０の左前方から下向きに突出した突部３３７を、平板部３６０の左端の切欠３６００に挿通することにより、平板部３６０に対して支持部材３３を位置決めすることができる（図６参照）。そして、作業者は、各ボス３３５を貫通する孔３３５０にねじ３４５を挿通し、平板部３６０に設けられた一対のねじ孔３６０２にそれぞれねじ３４５を締め込む。このようにして、作業者は、ベース３６に支持部材３３を固定する（図６参照）。
【００４８】
次に、作業者は、２対の引掛部３３４の爪３３４０をレンズ３１のフランジ３１２の上面に引っ掛けることでレンズ３１を第１支持部３３０に支持させる（図１０および図１１参照）。それから、作業者は、各固定部３６３の２つの挿通孔３６３０にそれぞれねじを挿通し、凹部１１の底板１１１に設けられているねじ孔に各ねじをねじ込むことでベース３６を底板１１１に固定する。このとき、作業者は、ねじ止め部３６５を内側（常用光源ユニット２に近い側）、すなわち、ばね部材３７を外側（常用光源ユニット２から遠い側）とするようにベース３６を凹部１１内に収納する。また、ベース３６が底板１１１に固定されることにより、ベース３６と底板１１１に囲まれた空間が形成される。
【００４９】
続いて、作業者は、凹部１１内において、ねじ止め部３６５の側から前記空間内に非常用電源５を挿入する（図６参照）。このとき、非常用電源５は、突出部３６０３の支持片３６０４に案内されてスムーズに挿入される。次に、作業者は、図６に示すように、上方からカバー３２をベース３６に被せる。このとき、カバー３２の一対の突片３２４が、ベース３６の各立壁部３６１、３６２のガイド部３６１０、３６２０にガイドされる。そして、ばね部材３７の各引掛部３７２は、それぞれ突片３２４に押されて内側に撓み、やがて、各突片３２４の取付孔３２４０にそれぞれ挿入されて引っ掛かる（図７および図９参照）。このとき、第１支持部３３０に支持されたレンズ３１は、カバー３２の挿通孔３２３０に挿通される。また、操作部材３４２は、カバー３２の曲面部３２３において、挿通孔３２３０の右隣に設けられた円形の第１貫通孔３２３２を通して外部に露出する。さらに、表示部３５は、カバー３２の曲面部３２３において、第１貫通孔３２３２の後方に設けられた円形の第２貫通孔３２３３を通して外部に露出する（図７および図８参照）。
【００５０】
最後に、作業者は、突出部３２２２の挿通孔３２２３に挿通したねじを、ベース３６のねじ止め部３６５のねじ孔３６５０にねじ込むことにより、突出部３２２２をねじ止め部３６５にねじ止めする（図７および図８参照）。このようにして、非常用光源ユニット３が組み立てられる。なお、非常用電源５は、図１０に示すように、ばね部材３７の押さえ片３７３と、カバー３２の押さえ片３２２４とに左右方向から押さえられるとともに、３つの突出部３６０３に下から支えられてがたつきが抑えられる。ただし、上述した組立手順は一例に過ぎず、別の組立手順で組み立てることも可能である。
【００５１】
制御装置４は、図１４に示すように、電源回路部４４と、充電回路部４５と、点灯回路部４６と、制御部４７とを備える。電源回路部４４は、出力段に平滑用の第１コンデンサ４４２を有するスイッチング電源回路で構成され、常用電源（例えば、商用の交流電源）４８から供給される交流電圧・交流電流を直流電圧・直流電流に変換するように構成される。本実施形態における電源回路部４４は、トランス４４０やスイッチング素子４４１、第１コンデンサ４４２、ダイオード４４３などを有する自励型のスイッチング電源回路、例えば、リンギングチョークコンバータで構成されることが好ましい。なお、トランス４４０の２次側には、ダイオード４４３と第１コンデンサ４４２の直列回路と並列に、ダイオード４４４と第２コンデンサ４４５の直列回路が電気的に接続されることが好ましい。ただし、リンギングチョークコンバータなどのスイッチング電源回路については、従来周知であるから詳細な回路構成の図示ならびに動作の説明を省略する。なお、電源回路部４４は、点検スイッチ３４１がオンされることで強制的に停止するように構成されることが好ましい。また、電源回路部４４は、出力電流の一部を表示部３５に供給するように構成されることが好ましい。
【００５２】
充電回路部４５は、ｐｎｐ型のバイポーラトランジスタ４５０、ツェナーダイオード４５１、抵抗４５２、抵抗４５３、抵抗４５４、ダイオード４５５などで構成されることが好ましい。ツェナーダイオード４５１のカソードが電源回路部４４の高電位側の出力端と電気的に接続される。また、ツェナーダイオード４５１のアノードは、バイポーラトランジスタ４５０のベースと抵抗４５２の一端に電気的に並列接続される。バイポーラトランジスタ４５０のエミッタは、抵抗４５３、４５４の直列回路を介してツェナーダイオード４５１のカソードと電気的に接続される。また、バイポーラトランジスタ４５０のコレクタは、ダイオード４５５のアノードに電気的に接続される。ダイオード４５５のカソードは、コネクタ４００を介して非常用電源５の正極と電気的に接続される。さらに、バイポーラトランジスタ４５０のベースは、抵抗４５２および制御部４７を介して非常用電源５の負極と電気的に接続される。この充電回路部４５は、後述するように常用電源４８から給電されているときに動作し、ダイオード４５５を介して非常用電源５に流す充電電流（バイポーラトランジスタ４５０のコレクタ電流）を一定とするように動作する。
【００５３】
点灯回路部４６は、ドライバ回路４６０を備える。ドライバ回路４６０は、パワーＭＯＳＦＥＴと制御ＩＣを１パッケージに内蔵した、ＬＥＤドライバ用パワーＩＣ（例えば、サンケン電気株式会社製のＬＣ５７１０Ｓ）で構成されることが好ましい。このドライバ回路４６０は、１番から８番の８つの端子を有している。１番端子は位相補償端子であり、位相補償用のコンデンサ４６７および抵抗４６８の直列回路が３番端子（グランド端子）との間に電気的に接続される。２番端子は周波数可変端子であり、３番端子との間に調整用抵抗４６９が電気的に接続される。４番端子はスイッチング出力端子であり、外付けのインダクタ４６１の一端と電気的に接続される。５番端子は電源入力端子であり、３番端子との間に、ドライバ回路４６０にスイッチング電流を供給するためのコンデンサ４６３が制御部４７を介して電気的に接続される。６番端子は電流検出入力の基準端子であり、電流検出用の抵抗４６５、４６６の一端が電気的に並列接続される。７番端子は電流検出負入力端子であり、抵抗４６５、４６６の他端と、光源部３０１の正極（ＬＥＤチップのアノード）とに電気的に並列接続される。なお、８番端子は調光信号入力端子であり、本実施形態においては使用されない。
【００５４】
また、インダクタ４６１の一端とドライバ回路４６０の４番端子との接続点にダイオード４６２のアノードが電気的に接続され、ダイオード４６２のカソードがドライバ回路４６０の６番端子に電気的に接続される。さらに、ダイオード４６２とインダクタ４６１の直列回路に対して、コンデンサ４６４が電気的に並列接続される。すなわち、点灯回路部４６は、ドライバ回路４６０に内蔵されたパワーＭＯＳＦＥＴと、ドライバ回路４６０に外付けされているインダクタ４６１、ダイオード４６２、コンデンサ４６４とで降圧チョッパ回路を構成している。そして、点灯回路部４６は、非常用電源５から供給される直流電圧を降圧チョッパ回路で降圧して光源部３０１に印加し、かつ非常用電源５から光源部３０１に供給される直流電流を定電流化することが好ましい。
【００５５】
制御部４７は、第１制御回路４７１と、第２制御回路４７２と、第３制御回路４７３とを有することが好ましい。第１制御回路４７１は、点灯回路部４６を動作可能な状態（オン状態）と動作不可能な状態（オフ状態）とに択一的に切り替えるように構成される。第１制御回路４７１は、第１スイッチ素子４７１０、抵抗４７１１、コンデンサ４７１２、抵抗４７１３、第２スイッチ素子４７１４、抵抗４７１５で構成されることが好ましい。第１スイッチ素子４７１０はｐｎｐ型のバイポーラトランジスタからなり、点灯回路部４６におけるコンデンサ４６３と、ドライバ回路４６０の５番端子との電気的な接続を入切するように構成される。抵抗４７１１とコンデンサ４７１２とは、第１スイッチ素子４７１０のエミッタとベースとの間に電気的に並列接続される。第２スイッチ素子４７１４は、Ｎチャネルのエンハンスメント形のＭＯＳＦＥＴからなる。第２スイッチ素子４７１４のドレインが、抵抗４７１３を介して第１スイッチ素子４７１０のベースと電気的に接続され、第２スイッチ素子４７１４のソースが、ドライバ回路４６０の３番端子と非常用電源５の負極とに電気的に並列接続される。なお、抵抗４７１５は、第２スイッチ素子４７１４のゲートとソースとの間に電気的に接続される。第１制御回路４７１は、第２スイッチ素子４７１４がオンしている場合に第１スイッチ素子４７１０がオンし、かつ第２スイッチ素子４７１４がオフしている場合に第１スイッチ素子４７１０がオフするように構成される。そして、ドライバ回路４６０は、第１スイッチ素子４７１０がオンしているときにコンデンサ４６３を通じて給電されることで動作し、第１スイッチ素子４７１０がオフしているときはコンデンサ４６３を通じて給電されないことで停止する。
【００５６】
第２制御回路４７２は、電源回路部４４の出力電圧に基づいて常用電源４８の停電を検出し、停電の検出・非検出に応じて第１制御回路４７１を制御するように構成される。第２制御回路４７２は、第３スイッチ素子４７２０、ツェナーダイオード４７２１、抵抗４７２２、抵抗４７２３、ダイオード４７２４、ダイオード４７２５で構成される。第３スイッチ素子４７２０は、Ｎチャネルのエンハンスメント形のＭＯＳＦＥＴからなる。第３スイッチ素子４７２０のドレインが２つのダイオード４７２４、４７２５のカソードと電気的に並列接続される。第３スイッチ素子４７２０のソースは、電源回路部４４の低電位側の出力端子と非常用電源５の負極とに電気的に並列接続される。第３スイッチ素子４７２０のゲートは、抵抗４７２３を介して電源回路部４４の低電位側の出力端子と非常用電源５の負極とに電気的に並列接続される。抵抗４７２２は、抵抗４７２３と第３スイッチ素子４７２０のゲートとに電気的に並列接続される。ツェナーダイオード４７２１のアノードは、抵抗４７２２を介して第３スイッチ素子４７２０のゲートに電気的に接続される。また、ツェナーダイオード４７２１のカソードは電源回路部４４のダイオード４４４と第２コンデンサ４４５の接続点に電気的に接続される。ダイオード４７２４のアノードは、充電回路部４５の抵抗４５２と電気的に接続される。ダイオード４７２５のアノードは、第１制御回路４７１の第２スイッチ素子４７１４のゲートと電気的に接続される。第２制御回路４７２は、電源回路部４４の第２コンデンサ４４５の両端電圧がツェナーダイオード４７２１のツェナー電圧以上の場合に第３スイッチ素子４７２０をオンする。また、第２制御回路４７２は、第２コンデンサ４４５の両端電圧がツェナーダイオード４７２１のツェナー電圧未満の場合に第３スイッチ素子４７２０をオフする。すなわち、第２制御回路４７２は、第３スイッチ素子４７２０をオンすることで第１制御回路４７１の第２スイッチ素子４７１４をオフし、第３スイッチ素子４７２０をオフすることで第２スイッチ素子４７１４をオン可能とするように構成される。ただし、第２コンデンサ４４５は、第２制御回路４７２を構成する回路素子でもある。
【００５７】
第３制御回路４７３は、非常用電源５の接続の有無に応じて、第１制御回路４７１を制御するように構成される。第３制御回路４７３は、第４スイッチ素子Ｑ４、第５スイッチ素子Ｑ５、第６スイッチ素子Ｑ６、７つの抵抗Ｒ１〜Ｒ７、３つのコンデンサＣ１〜Ｃ３、２つのダイオードＤ１、Ｄ２、２つのツェナーダイオードＺＤ１、ＺＤ２で構成される。
【００５８】
第４スイッチ素子Ｑ４は、ｐｎｐ型のバイポーラトランジスタからなる。第４スイッチ素子Ｑ４のエミッタは、非常用電源５の正極および充電回路部４５のダイオード４５５のカソードと電気的に並列接続される。また、第４スイッチ素子Ｑ４のエミッタとベースとの間に抵抗Ｒ１とコンデンサＣ１が電気的に並列接続される。第４スイッチ素子Ｑ４のコレクタは、抵抗Ｒ２を介して第１制御回路４７１の第２スイッチ素子４７１４のゲートと電気的に接続される。また、第４スイッチ素子Ｑ４のコレクタは、ダイオードＤ２のアノードと電気的に接続される。
【００５９】
第５スイッチ素子Ｑ５は、ｎｐｎ型のバイポーラトランジスタからなる。第５スイッチ素子Ｑ５のコレクタは、抵抗Ｒ３を介して第４スイッチ素子Ｑ４のベースと電気的に接続される。第５スイッチ素子Ｑ５のエミッタは、非常用電源５の負極と電気的に接続される。第５スイッチ素子Ｑ５のベースとエミッタとの間には、抵抗Ｒ７とコンデンサＣ３とが電気的に並列接続される。
【００６０】
第６スイッチ素子Ｑ６は、ｎｐｎ型のバイポーラトランジスタからなる。第６スイッチ素子Ｑ６のコレクタは、第５スイッチ素子Ｑ５のベースと電気的に接続される。第６スイッチ素子Ｑ６のエミッタは、非常用電源５の負極と電気的に接続される。第６スイッチ素子Ｑ６のベースとエミッタとの間には、抵抗Ｒ６とコンデンサＣ２とが電気的に並列接続される。
【００６１】
ツェナーダイオードＺＤ１のカソードは、抵抗Ｒ４を介して２つのダイオードＤ１、Ｄ２のカソードと電気的に並列接続される。なお、ダイオードＤ１のアノードは、第２制御回路４７２のツェナーダイオード４７２１のカソードと電気的に接続される。また、ツェナーダイオードＺＤ１のアノードは、第５スイッチ素子Ｑ５のベースと電気的に接続される。また、ツェナーダイオードＺＤ２のカソードは、抵抗Ｒ５を介して第４スイッチ素子Ｑ４のエミッタと電気的に接続される。ツェナーダイオードＺＤ２のアノードは、第６スイッチ素子Ｑ６のベースと電気的に接続される。
【００６２】
第３制御回路４７３は、電源回路部４４から正常に直流電圧が出力されている場合に第５スイッチ素子Ｑ５がオンして第４スイッチ素子Ｑ４をオンする。また、第３制御回路４７３は、第４スイッチ素子Ｑ４がオンしているときに電源回路部４４が停止しても、非常用電源５から第４スイッチ素子Ｑ４を介して供給される電流で第５スイッチ素子Ｑ５のオン状態を維持するように構成される。そして、第３制御回路４７３は、第２制御回路４７２の第３スイッチ素子４７２０がオフしている場合、非常用電源５から第４スイッチ素子Ｑ４を介して給電することにより、第１制御回路４７１の第２スイッチ素子４７１４をオンするように構成される。
【００６３】
さらに、第３制御回路４７３において、ツェナーダイオードＺＤ２のツェナー電圧は、非常用電源５の定格電圧（満充電時の電圧）よりも高い値とされている。したがって、非常用電源５がコネクタ４００に電気的に接続されている場合、常用電源４８が停電しているか否かに関わらず、非常用電源５の両端電圧が定格電圧以下となるので、ツェナーダイオードＺＤ２は導通しない。そして、ツェナーダイオードＺＤ２が導通しなければ、第６スイッチ素子Ｑ６がオンしないので、第５スイッチ素子Ｑ５および第４スイッチ素子Ｑ４がオン状態に維持される。
【００６４】
しかしながら、非常用電源５がコネクタ４００に電気的に接続されておらず、かつ電源回路部４４が停止した場合、第１コンデンサ４４２に充電されている電荷が放電されている間、充電回路部４５が継続して動作する。このとき、充電回路部４５の出力端（ダイオード４５５のカソード）の電圧がツェナーダイオードＺＤ２のツェナー電圧よりも高くなり、ツェナーダイオードＺＤ２が導通して第６スイッチ素子Ｑ６がオンする。その結果、第５スイッチ素子Ｑ５ならびに第４スイッチ素子Ｑ４がオフし、第１制御回路４７１の第２スイッチ素子４７１４および第１スイッチ素子４７１０がオフするので、点灯回路部４６は動作しない。
【００６５】
次に、制御装置４の動作を説明する。
【００６６】
まず、非常用電源５がコネクタ４００に接続され、かつ常用電源４８から正常に給電されている場合の制御装置４の動作を説明する。
【００６７】
常用電源４８から正常に給電されている場合、電源回路部４４の第１コンデンサ４４２の両端から定格電圧が出力されるので、バイポーラトランジスタ４５０が動作して充電回路部４５が非常用電源５を充電する。また、電源回路部４４の第２コンデンサ４４５から供給される電流により、第３制御回路４７３の第５スイッチ素子Ｑ５がオンして第４スイッチ素子Ｑ４がオンする。さらに、電源回路部４４の第２コンデンサ４４５から供給される電流により、第２制御回路４７２の第３スイッチ素子４７２０がオンする。そのため、第１制御回路４７１は、第２スイッチ素子４７１４ならびに第１スイッチ素子４７１０をオフして点灯回路部４６を停止させる。
【００６８】
続いて、非常用電源５がコネクタ４００に接続された状態で常用電源４８が停電した場合の制御装置４の動作を説明する。
【００６９】
常用電源４８が停電すると電源回路部４４も停止するので、バイポーラトランジスタ４５０がオフして充電回路部４５が停止する。また、第２コンデンサ４４５の両端電圧がツェナーダイオード４７２１のツェナー電圧を下回るため、第２制御回路４７２の第３スイッチ素子４７２０がオフする。一方、第３制御回路４７３の第４スイッチ素子Ｑ４は、非常用電源５から給電されてオン状態を維持しているので、第１制御回路４７１の第２スイッチ素子４７１４ならびに第１スイッチ素子４７１０がオンして点灯回路部４６を動作させる。その結果、点灯回路部４６が非常用電源５から給電されて光源部３０１を点灯する。
【００７０】
ところで、電源回路部４４の第１コンデンサ４４２には比較的に大きな容量の電解コンデンサが用いられている。そのため、電源回路部４４が停止した後も第１コンデンサ４４２の充電電荷が放電されている間、充電回路部４５が電流を流し続ける。このとき、非常用電源５がコネクタ４００に接続されていれば、非常用電源５から給電される直流電力で点灯回路部４６が光源部３０１を点灯することに問題は無い。しかしながら、非常用電源５がコネクタ４００に接続されていない場合、第１コンデンサ４４２から放電される直流電力で点灯回路部４６が光源部３０１を点灯してしまうと、メンテナンス作業等に支障の生じる可能性がある。
【００７１】
そこで、本実施形態の制御装置４では、非常用電源５がコネクタ４００に接続されていない場合、制御部４７の第３制御回路４７３が第１制御回路４７１を制御して点灯回路部４６を停止させるように構成されている。つまり、非常用電源５がコネクタ４００に接続されていない状態で電源回路部４４が停止すると、充電回路部４５の出力端の電圧がツェナーダイオードＺＤ２のツェナー電圧よりも高くなり、ツェナーダイオードＺＤ２が導通して第６スイッチ素子Ｑ６がオンする。その結果、第５スイッチ素子Ｑ５ならびに第４スイッチ素子Ｑ４がオフし、第１制御回路４７１の第２スイッチ素子４７１４および第１スイッチ素子４７１０がオフするので、点灯回路部４６が動作せず、光源部３０１を点灯しない。したがって、本実施形態の制御装置４は、メンテナンス作業等に支障を生じるような不具合の発生、すなわち、常用電源４８の給電が停止し、かつ非常用電源５が接続されていない状況で光源部３０１が点灯することを抑制することができる。
【００７２】
また、制御装置４は、電源回路部４４、充電回路部４５、点灯回路部４６、制御部４７などを構成するための複数の回路素子が実装されるプリント配線板４０と、プリント配線板４０を内部に収納する金属製のケース４１とを備えることが好ましい。
【００７３】
ケース４１は、第１ケース４２と、第１ケース４２と結合される第２ケース４３とを備える。第１ケース４２は、図１５および図１６に示すように、矩形平板状の底板４２０と、底板４２０の長手方向に沿った両端から上向きに立ち上がる一対の第１側壁４２１とを有する。一対の第１側壁４２１は、２つの突起４２１０と、２つの固定片４２１１とを、長手方向の両端にそれぞれ有する。第１側壁４２１は、内側に折り曲げられる固定片４２１１と、突起４２１０とでプリント配線板４０の端部を厚み方向に挟んで支持するように構成される。
【００７４】
一方、第２ケース４３は、図１７に示すように、矩形平板状の天板４３０と、天板４３０の長手方向に沿った両端から下向きに立ち下がる一対の第２側壁４３１とを有する。一対の第２側壁４３１は、２つの突部４３１０を、長手方向の両端にそれぞれ有する。第２側壁４３１は、各突部４３１０を第１側壁４２１に設けられる２つの引掛孔４２１２にそれぞれ引っ掛けるように構成される。
【００７５】
ここで、固定片４２１１は、第１側壁４２１が打ち抜き加工されて形成される。そして、引掛孔４２１２は、固定片４２１１が折り曲げられることで第１側壁４２１に形成される孔で構成される。つまり、本実施形態の制御装置４では、プリント配線板４０を支持する構造（突起４２１０および固定片４２１１）と、第１ケース４２に第２ケース４３を固定する構造（引掛孔４２１２）とが、何れも第１側壁４２１に設けられている。そのため、固定片４２１１を形成するために第１側壁４２１が打ち抜き加工される際、引掛孔４２１２も同時に形成することにより、製造コストの削減を図ることができる。
【００７６】
次に、制御装置４の組立手順について、簡単に説明する。まず、作業者は、第１ケース４２の底板４２０の上に絶縁シートを敷いた後、第１ケース４２の４つの突起４２１０の上にプリント配線板４０を載せる。すなわち、プリント配線板４０と第１ケース４２の底板４２０とが絶縁シートによって電気的に絶縁される。それから、作業者は、ドライバなどの工具を用いて、４つの固定片４２１１をそれぞれ内側に折り曲げてプリント配線板４０を第１ケース４２に固定する。続いて、作業者は、第１ケース４２の上に第２ケース４３を被せる。このとき、第２ケース４３の第２側壁４３１は、第１ケース４２の第１側壁４２１の外側に配置される。そして、第２側壁４３１の４つの突部４３１０が、第１側壁４２１の４つの引掛孔４２１２に挿入され、且つ引掛孔４２１２の周囲に引っ掛けられる。故に、第２ケース４３は、４つの突部４３１０が４つの引掛孔４２１２にそれぞれ引っ掛けられることにより、第１ケース４２と結合される（図１８参照）。制御装置４は、以上のような組立手順で組み立てられる。
【００７７】
ところで、第２ケース４３の天板４３０がプリント配線板４０よりも長手方向の寸法が短く形成されている。そのため、プリント配線板４０の一端部に実装される２つのコネクタ４００、４０１がケース４１から露出している（図１８参照）。一方のコネクタ４００は、非常用電源５および非常用ＬＥＤモジュール３０（光源部３０１）と電気的に接続されることが好ましい。他方のコネクタ４０１は、表示部３５と電気的に接続されることが好ましい。また、プリント配線板４０の他端部にもコネクタ４０２が実装される（図１５参照）。このコネクタ４０２は、スイッチブロック３４のコネクタ３４３と電気的に接続されることが好ましい。制御装置４は、第１ケース４２の底板４２０の両端から突出する一対の固定片４１０が凹部１１の底板１１１にねじ止めされることで器具本体１に取り付けられることが好ましい（図１９参照）。
【００７８】
また、プリント配線板４０の他端部には、コネクタ４０２と隣り合うように端子台４０３が実装される。この端子台４０３は、速結式（ねじなし式）の端子台であって、常用電源からの給電線が挿抜可能に接続される。すなわち、端子台４０３は、上面に設けられた２つの解除孔４０３０に挿入される棒状の治具により、給電線の抜け止めを解除できるように構成されている。そして、本実施形態の制御装置４では、第２ケース４３の天板４３０に、各解除孔４０３０と上下方向に重なる孔４３００が設けられている（図１７および図１８参照）。つまり、本実施形態の制御装置４は、第１ケース４２に第２ケース４３を結合した状態であっても、天板４３０の孔４３００を通して端子台４０３の解除孔４０３０に治具を挿入して給電線の抜け止めを解除できるように構成されている。
【００７９】
ここで、非常用光源ユニット３と制御装置４とは、４対（合計８本）の電線で電気的に接続される。すなわち、４対のうちの一対の電線６０は、非常用電源５と制御装置４とを電気的に接続することが好ましい。また、別の一対の電線６１は、制御装置４と非常用ＬＥＤモジュール３０とを電気的に接続することが好ましい。さらに別の一対の電線６２は、制御装置４と表示部３５とを電気的に接続することが好ましい。残り一対の電線６３は、制御装置４とスイッチブロック３４とを電気的に接続することが好ましい。ただし、一対の電線６０は、非常用電源５の交換を容易にするため、コネクタ６４によって分断可能に構成されることが好ましい（図１９参照）。これら４対の電線６０〜６３は、図１９に示すように、シース６５で被覆された１本のケーブルとして構成されることが好ましい。なお、４対の電線６０〜６３は、図１９に示すように、ベース３６の立壁部３６２と凹部１１の側板との間に形成される隙間に配置されることが好ましい。
【００８０】
次に、本実施形態の照明器具の施工手順を説明する。まず最初に、施工作業を行う作業者は、天井裏に先行配線された電源線を器具本体１の孔１１１Ａに通し、さらに室内側に露出する吊りボルト２００を孔１１１Ｂに通した後、吊りボルト２００にナット２０１をねじ込んで器具本体１を固定する。さらに、作業者は、電源線の端部を端子台に接続し、さらに端子台から引き出されている電線を電源装置２４および制御装置４と電気的に接続する。
【００８１】
続いて、作業者は、器具本体１の一方の側板１１２に設けられた一対の挿通孔にそれぞれ引掛金具の先端を引っ掛けた後、一対の引掛ばねを器具本体１の他方の側板１１２に設けられた引掛部に引っ掛ける。そして、作業者が、引掛金具を支点として常用光源ユニット２を持ち上げるように回転させると、引掛ばねが引掛部に引っ掛かったままで元の状態に戻ることにより、引掛ばねのばね力で常用光源ユニット２が器具本体１に保持される。以上のような手順に従って、照明器具が天井に施工される（図１参照）。
【００８２】
ところで、本実施形態の制御装置４は、充電回路部４５および点灯回路部４６が、非常用電源５および光源部３０１と、１つのコネクタ４００を介して電気的に接続されるように構成される。つまり、本実施形態の制御装置４は、充電回路部４５および点灯回路部４６と非常用電源５および光源部３０１とを、コネクタ４００を介して一対の電線６０ならびに一対の電線６１で電気的に接続するように構成されている。故に、本実施形態の制御装置４では、充電回路部４５および点灯回路部４６と非常用電源５および光源部３０１とをほぼ同時に電気的に接続することができる。そのため、本実施形態の制御装置４は、充電回路部４５および点灯回路部４６と非常用電源５および光源部３０１とをそれぞれ独立した２つのコネクタで電気的に接続する場合と比較して、光源部３０１に突入電流を流れ難くして光源部３０１の劣化を抑制できる。また、本実施形態の制御装置４は、充電回路部４５および点灯回路部４６と非常用電源５および光源部３０１とをそれぞれ独立した２つのコネクタで電気的に接続する場合と比較して、コネクタの個数を減らして作業性の向上を図ることもできる。
【００８３】
上述のように本実施形態の非常用照明装置（制御装置４）は、電源回路部４４と、充電回路部４５と、点灯回路部４６と、制御部４７とを備える。電源回路部４４は、常用電源４８から供給される交流電圧・交流電流を直流電圧・直流電流に変換するように構成される。充電回路部４５は、電源回路部４４から出力される直流電流で非常用電源５を充電するように構成される。点灯回路部４６は、非常用電源５から供給される直流電力で光源（光源部３０１）を点灯するように構成される。制御部４７は、常用電源４８の停電を検出していない場合は充電回路部４５を動作させるとともに点灯回路部４６を停止させ、常用電源４８の停電を検出している場合は充電回路部４５を停止させるとともに点灯回路部４６を動作させるように構成される。充電回路部４５および点灯回路部４６は、非常用電源５および光源と、１つのコネクタ４００を介して電気的に接続されるように構成される。
【００８４】
したがって、本実施形態の非常用照明装置は、充電回路部４５および点灯回路部４６と、非常用電源５および光源とをそれぞれ別のコネクタを介して電気的に接続する場合と比較して、非常用電源５から光源部３０１に突入電流を流れ難くすることができる。
【００８５】
また、本実施形態の非常用照明装置（制御装置４）において、点灯回路部４６は、光源（光源部３０１）の点灯を開始する際、光源に供給する直流電流を徐々に増加させるように構成されることが好ましい。
【００８６】
例えば、ドライバ回路４６０の８番端子（ＤＣ／ＰＷＭ調光信号入力端子）にＣＲ積分回路を電気的に接続し、常用電源４８の停電時に５番端子に印加される電圧でＣＲ積分回路を充電するように構成されることが好ましい。つまり、ドライバ回路４６０の８番端子には、常用電源４８が停電してから徐々に上昇する直流電圧（ＤＣ調光信号）がＣＲ積分回路から入力される。そのため、点灯回路部４６は、光源部３０１の点灯を開始する際、調光レベルを徐々に上昇させることにより、光源部３０１に急激に電流を流し始める場合と比較して、光源部３０１の劣化を抑制することができる。
【００８７】
さらに、本実施形態の照明器具は、光源（光源部３０１）と、非常用電源５と、非常用照明装置（制御装置４）と、光源、非常用電源５ならびに非常用照明装置を保持する器具本体１とを備える。
【００８８】
本実施形態の照明器具は上述のように構成されるので、非常用電源５から光源部３０１に突入電流を流れ難くすることができる。
【符号の説明】
【００８９】
１  器具本体（照明器具）
２  常用光源ユニット（照明器具）
３  非常用光源ユニット
４  制御装置（非常用照明装置）
５  非常用電源
４４  電源回路部
４５  充電回路部
４６  点灯回路部
４７  制御部
４８  常用電源
３０１  光源部（光源）
４００  コネクタ（コネクタ）
【図１】
0006501179.tif 000002
【図２】
0006501179.tif 000003
【図３】
0006501179.tif 000004
【図４】
0006501179.tif 000005
【図５】
0006501179.tif 000006
【図６】
0006501179.tif 000007
【図７】
0006501179.tif 000008
【図８】
0006501179.tif 000009
【図９】
0006501179.tif 000010
【図１０】
0006501179.tif 000011
【図１１】
0006501179.tif 000012
【図１２】
0006501179.tif 000013
【図１３】
0006501179.tif 000014
【図１４】
0006501179.tif 000015
【図１５】
0006501179.tif 000016
【図１６】
0006501179.tif 000017
【図１７】
0006501179.tif 000018
【図１８】
0006501179.tif 000019
【図１９】
0006501179.tif 000020